【手続補正書】
【提出日】平成29年12月28日(2017.12.28)
【手続補正１】
【補正対象書類名】明細書
【補正対象項目名】００６５
【補正方法】変更
【補正の内容】
【００６５】
そのセンサ要素４，４．１，４．２，５，５．１，５．２，６，６．１，６．２，７，７．１，７．２は、例えばカバー部材３の材料中に一体化する、および／またはそれぞれ別の、別体部品として、カバー部材３の外面または内面に取り付けることができる。
なお、本発明は、実施の態様として以下の内容を含む。
［態様１］
車両の安全ベルトを調整する方法であって、
安全ベルト（１）を調整するための調整装置（２）を設け、
前記調整装置は安全ベルト（１）の折り返し箇所の位置を調節可能であり、前記切替し箇所から安全ベルト（１）が安全ベルト（１）で固定された乗員（Ｉ）の肩の方向に延出し、かつ
前記折り返し箇所の位置が、少なくとも一つのセンサユニットにより自動的に調節されることにより、前記安全ベルト（１）の経路をベルトで固定された乗員（Ｉ）に適合させる、
方法において、
前記折り返し箇所からベルトで固定された乗員（Ｉ）の肩の方向に延びるベルト部分（１１）と、他のベルト部分（１０）および／または車体または座席部品に固定された部品（３、Ｂ）との間の角度（α）を前記センサユニットによって検出することにより、ベルトで固定された乗員（Ｉ）に適合するように、前記折り返し箇所の調節を自動的に行うことを特徴とする方法。
［態様２］
態様１に記載の方法において、前記他のベルト部分（１０）が前記安全ベルト（１）の固定箇所から前記折り返し箇所に向かって延出していること特徴とする方法。
［態様３］
態様１または２に記載の方法において、前記センサユニットにより、前記折り返し箇所の高さをベルトで固定される乗員（Ｉ）の肩の領域で調節して、前記安全ベルト（１）の経路を乗員（Ｉ）のサイズおよび／または座る位置に適合させることを特徴とする方法。
［態様４］
態様１から３に記載の方法において、前記折り返し箇所の調整が、検出された角度（α）が事前に設定した角度範囲内の値になるまで行われることを特徴とする方法。
［態様５］
態様４に記載の方法において、前記検出された角度（α）が調節した角度範囲内にあるかどうかを、前記折り返し箇所の調整中および／または完了後に判定することを特徴とする方法。
［態様６］
態様４または５に記載の方法において、前記検出された角度（α）が事前に設定した角度範囲内にある時、聴覚的および／または視覚的情報のためのシグナルを乗員（Ｉ）に発信することを特徴とする方法。
［態様７］
態様１から６のいずれか一項に記載の方法において、角度（α）を検出するため、前記センサユニットの少なくとも一つのセンサ要素（４，４．１，４．２；５，５．１，５．２；６，６．１，６．２；７，７．１，７．２）を用いて、前記折り返し箇所からベルトで固定されている乗員（Ｉ）の肩の方向に延びるベルト部分（１１）と、
前記他のベルト部分（１０）、
車体または座席の部品に固定された部品（３；Ｂ；Ｄ）、および／または
前記センサ要素（４，４．１，４．２；５，５．１，５．２；６，６．１，６．２；７，７．１，７．２）
のうちの少なくとも一つとの距離（ｄ１、ｄ２；ｈ１、ｈ２）を検出することを特徴とする方法。
［態様８］
態様１から７のいずれか一項に記載の方法において、前記角度（α）の検出と、これによる折り返し箇所の自動的な調節を、操作イベントが少なくとも一つ検出された後にのみ行うことを特徴とする方法。
［態様９］
態様８に記載の方法において、前記角度（α）の検出と、これによる折り返し箇所の自動的な調節が、安全ベルトの挿入片のベルトバックルへの挿入、および／または車両のモーターの起動を検出した後に行われることを特徴とする方法。
［態様１０］
態様１から９のいずれか一項に記載の方法において、前記角度（α）の検出とそれによる前記折り返し箇所の自動的な調節を、事前に設定した時間を経過した後に自動的に繰り返すことを特徴とする方法。
［態様１１］
車両の安全ベルト用の調整装置、特には態様１から１０のいずれか一項に記載の方法を実行するための調整装置であって、少なくとも
折り返し箇所を決定する調整可能な一つのベルトガイド要素（２０）であって、前記安全ベルト（１）がベルトで固定された乗員（Ｉ）の肩の方向に延びる起点となるベルトガイド要素と、
前記ベルトガイド要素（２０）の調整位置を自動的に設定することにより、前記安全ベルト（１）の経路をベルトで固定された乗員（Ｉ）に適合させるセンサユニットと、
を備える調整装置において、
前記折り返し箇所からベルトで固定された乗員（Ｉ）の肩の方向に延びるベルト部分（１１）と、他のベルト部分（１０）および／または車体または座席部品に固定された部品（３、Ｂ）との間の角度（α）を前記センサユニットによって検出することにより、ベルトで固定された乗員（Ｉ）に適合するように、前記調整可能なベルトガイド要素の調整位置を事前設定することを特徴とする調整装置。
［態様１２］
態様１１に記載の調整装置において、前記角度（α）を検出するためセンサユニットが、少なくとも一つのセンサ要素（４，４．１，４．２；５，５．１，５．２；６，６．１，６．２；７，７．１，７．２）を備え、前記折り返し箇所から、ベルトで固定されている乗員（Ｉ）の肩の方向に延びるベルト部分（１１）と、
前記他のベルト部分（１０）、
車体または座席の部品に固定された部品（３；Ｂ；Ｄ）および／または
前記センサ要素（４，４．１，４．２；５，５．１，５．２；６，６．１，６．２；７，７．１，７．２）
との距離（ｄ１、ｄ２；ｈ１、ｈ２、ｈ３）を検出可能であることを特徴とする調整装置。
［態様１３］
態様１２に記載の調整装置において、少なくとも２つのセンサ要素（４，４．１，４．２；５，５．１，５．２；６，６．１，６．２；７，７．１，７．２）が、車高軸に対して、横方向に並べて、および／または上下方向に並べて設けられて、前記距離（ｄ１、ｄ２；ｈ１、ｈ２、ｈ３）を検出することを特徴とする調整装置。
［態様１４］
態様１３に記載の調整装置において、少なくとも２つのセンサ要素（４，４．１，４．２；５，５．１，５．２）が、それぞれ、前記折り返し箇所の上側に配置され、それぞれが、前記ベルト部分（１１）の上面に対する距離（ｈ１、ｈ２、ｈ３）を検出することを特徴とする調整装置。
［態様１５］
態様１３または１４に記載の調整装置において、少なくとも２つのセンサ要素（６，６．１，６；７，７．１，７．）が、それぞれ、前記折り返し箇所の下側に配置され、それぞれが、前記ベルト部分（１１）の下面に対する距離（ｄ１、ｄ２）を検出することを特徴とする調整装置。
［態様１６］
態様１２から１５のいずれか一項に記載の調整装置において、前記センサユニットの少なくとも一つのセンサ要素（４，４．１，４．２；５，５．１，５．２；６，６．１，６．２；７，７．１，７．２）が、鉛直方向に対して傾斜して配置されていることを特徴とする調整装置。
［態様１７］
態様１１から１６のいずれか一項に記載の調整装置において、前記センサユニットの少なくとも一つのセンサ要素（４，４．１，４．２；５，５．１，５．２；６，６．１，６．２；７，７．１，７．２）が、前記ベルトガイド要素（２０）、および／または前記ベルトガイド要素（２０）に対して相対移動可能なカバー部材（３）に設けられていることを特徴とする調整装置。
［態様１８］
態様１７に記載の調整装置において、前記少なくとも一つのセンサ要素が、前記ベルトガイド要素（２０）の材料または前記カバー部材（３）の材料の中に埋め込まれていることを特徴とする調整装置。